(57)【要約】【課題】表示画面部及び本体部の重心とスタンドの回転機構の回転中心とが離れているスタンド式薄型表示装置において、安定かつスムーズな回転を可能にする回転機構を提供する。【解決手段】第１回転ユニット及び第２回転ユニットから構成される薄型表示装置の回転機構であって、前記第１回転ユニット又は前記第２回転ユニットのいずれか一方において、ラジアル軸受を備えており、前記第１回転ユニット及び前記第２回転ユニットは互いに回転可能である回転機構。【選択図】　図４
2004112232.tif 000002
【特許請求の範囲】
【請求項１】
表示画面部と、スタンド部と、該表示画面部を該スタンド部に対して水平方向に回転させる回転機構とを備えた薄型表示装置であって、
前記回転機構は、回転軸を軸受するためのラジアル軸受を備えていることを特徴とする薄型表示装置。
【請求項２】
前記ラジアル軸受は複数備えられており、前記回転軸の上下に設けられていることを特徴とする請求項１に記載の薄型表示装置。
【請求項３】
前記回転機構はさらに、スラスト軸受を備えていることを特徴とする請求項１又は請求項２に記載の薄型表示装置。
【請求項４】
前記薄型表示装置の重心は、スラスト軸受の基準回転周の外側にあることを特徴とする請求項１〜請求項３のいずれかに記載の薄型表示装置。
【請求項５】
上部ユニット及び下部ユニットから構成される回転機構を備えた薄型表示装置であって、
上部ユニット及び下部ユニットから構成されており、
前記下部ユニットには回転軸が固定されており、
前記上部ユニットは、前記回転軸を軸受する一対のラジアル軸受を備えており、前記上部ユニット及び前記下部ユニットが互いに回転可能である薄型表示装置。
【請求項６】
前記回転軸の先端近傍にストッパを設けるとともに、前記ストッパを軸方向に一定の力を加えながら固定することを特徴とする請求項１〜請求項５のいずれかに記載の薄型表示装置。
【発明の詳細な説明】
【０００１】
【発明の属する技術分野】
本発明は薄型表示装置のスタンド回転機構に関し、特に、スタンド式の薄型表示装置において表示画面部を回転可能にするための機構に関するものである。
【０００２】
【従来の技術】
近年、液晶ディスプレイ又はプラズマディスプレイ等の表示画面を有するスタンド式の薄型表示装置が普及している。特に、３０インチを超える表示画面部を有する大型のスタンド式薄型表示装置に対する需要が高まっており、業務用又は家庭用に様々な商品が開発されている。
【０００３】
このようなスタンド式薄型表示装置では、液晶ディスプレイ又はプラズマディスプレイからなる表示画面部と、アンプ、電源ユニット、駆動回路など装置類とを含んだ本体部を、水平面に脚部が張り出したスタンド部で支持する構造により、表示画面部が床面にほぼ垂直に直立できるような構成となっているのが典型的である。さらに、スタンド部は回転機構を有しており、本体部を回動自在に軸支するようになっている。
【０００４】
図１は、上記のスタンド式薄型表示装置の一例を示す正面図である。図１において、薄型表示装置１００は、表示画面部１１０と、本体部１２０と、スタンド部１３０とから構成されるコンソールタイプの薄型表示装置である。ここでコンソールタイプとは、電源ユニット、駆動回路、制御回路等を含むコントロール部１２１と、アンプ部１２２とを本体部１２０として構成し、これを表示画面部１１０と一体化したタイプの薄型表示装置のことを言う。
【０００５】
表示画面部１１０は、液晶ディスプレイ又はプラズマディスプレイ等からなる表示画面１１１を有している。本体部１２０は、コントロール部１２１とアンプ部１２２とを有しており、表示画面部１１０と一体化されるとともに、スタンド部１３０に軸支されている。スタンド部１３０は、スタンド支柱１３１とスタンドベース１３２とからなっている。スタンド支柱１３１は本体部１２０を回転自在に支持できるような回転機構を備えている。
【０００６】
従来、このような回転式機構の例として、特許文献１に示すような回転機構などが考えられていた。この回転機構では、表示部３を支える支柱７及び回転台２がベース１上に支持されており、ベース１と回転台２との間に設けられたスラスト軸受８により、表示部３が回転可能となっている。
【０００７】
上記の回転機構をスタンド式薄型表示装置に応用する場合には、スタンド部の支柱が表示画面部及び本体部を回転自在に軸支するような構造にすることが考えられる。
【特許文献１】
特開平１０−３２７７１号公報（第１図）。
【０００８】
【発明が解決しようとする課題】
ところで、スタンド式薄型表示装置では、表示画面部の全面の液晶パネル部分がガラスなどの材料を含んでいるので相当重くなっている。したがって、表示画面部及び本体部の重心は前方に大きく傾いている。このため、表示画面部及び本体部の重心と、スタンドにおける回転の中心とが大きくずれてしまうことになる。
【０００９】
特に、薄型表示装置の表示画面部を、回転機構の外周よりも前方に配置する場合においては、回転機構の外周よりも重心が前方になってしまうため、スタンドにおける回転の中心と重心が更に大きくずれてしまうことになってしまう。
【００１０】
このような状態で表示画面部及び本体部が回転すると、回転機構の軸受部分に偏った負荷がかかってしまうため、スムーズな回転ができなくなってしまうおそれがある。上記の特許文献１に記載の回転機構では、スラスト軸受により重力方向については十分な安定性を有しているものの、回転する表示画面部及び本体部の重心のずれについては何ら考慮がされていない。このような回転機構をスタンド式薄型表示装置に用いると、回転機構の軸及び軸受が上下にがたついてしまうため、表示画面部及び本体部が安定して回転できなくなる。
【００１１】
そこで、本発明は、上記のような問題点に鑑みて、表示画面部及び本体部の重心とスタンドの回転機構の回転中心とが離れているスタンド式薄型表示装置において、安定かつスムーズな回転を可能にする回転機構を提供しようとするものである。
【００１２】
【課題を解決するための手段】
本発明は、表示画面部と、スタンド部と、該表示画面部を該スタンド部に対して水平方向に回転させる回転機構とを備えた薄型表示装置であって、前記回転機構は、回転軸を軸受するためのラジアル軸受を備えていることを特徴とする薄型表示装置をその構成とする。
【００１３】
また、本発明は、さらに、前記ラジアル軸受は複数備えられており、前記回転軸の上下に設けられていることを特徴とする薄型表示装置とする。
そして、本発明は、上記のいずれかの薄型表示装置において、前記回転機構はさらに、スラスト軸受を備えていることを特徴とする薄型表示装置とする。
【００１４】
さらに、本発明は、上記のいずれかの薄型表示装置において、前記薄型表示装置の重心は、スラスト軸受の基準回転周の外側にあることを特徴とする薄型表示装置とする。
【００１５】
そして、本発明は、上部ユニット及び下部ユニットから構成される回転機構を備えた薄型表示装置であって、上部ユニット及び下部ユニットから構成されており、前記下部ユニットには回転軸が固定されており、前記上部ユニットは、前記回転軸を軸受する一対のラジアル軸受を備えており、前記上部ユニット及び前記下部ユニットが互いに回転可能である薄型表示装置とする。
【００１６】
さらに、本発明は、上記したいずれか記載の薄型表示装置において、前記回転軸の先端近傍にストッパを設けるとともに、前記ストッパを軸方向に一定の力を加えながら固定することを特徴とする薄型表示装置とする。
【００１７】
【発明の実施の形態】
以下、添付図面を参照しながら、本発明の実施の形態を詳細に説明する。
本発明の薄型表示装置は、図１に示したようなスタンド式薄型表示装置に関するものであり、特にスタンド部における回転機構に特徴を備えている。そこで、本発明に特徴的な構成については図２〜図８を用いて説明するが、図１に示したスタンド式薄型表示装置と同一の構成については、同一の符号を付し説明を省略する。
【００１８】
以下、本発明の薄型表示装置の第１実施形態について説明する。図２は、本実施形態の回転機構を含むスタンド式薄型表示装置の表示画面部及び本体部を支持するためのフレーム構造を示す図である。
【００１９】
図２に示すように、このスタンド式薄型表示装置では、スタンド部の回転ユニット２１０が取り付けアングル２２０を介してアルミフレーム２３０を回転自在に支持している。
【００２０】
図３は、本実施形態の回転機構を含む回転ユニット２１０を示す概観図である。回転ユニット２１０は、上部ユニット３１０及び下部ユニット３２０からなり、これらは互いに所定の回転トルクで回転するように作られている。上部ユニット３１０は取り付けアングル２２０を介してアルミフレーム２３０に固定され、下部ユニット３２０はスタンドベース１３２に固定される。
【００２１】
図４は、回転ユニット２１０の正面断面図を示し、図５は同側面断面図である。また、図７は、本実施形態の回転機構の上部ユニット３１０の下面図であり、図８は、本実施形態の回転機構の下部ユニット３２０の上面図である。
【００２２】
図４及び図５に示す回転機構は、下部ユニット３２０において回転軸５１０を有し、上部ユニット３１０において、回転軸５１０のラジアル軸受となる上部ボールベアリング５２０及び下部ボールベアリング５３０を有している。回転軸５１０の下端はボルト５４０により下部ユニット３２０に締め付け固定されており、また回転軸５１０の上端は、ワッシャ５５０により上部ユニット３１０の軸受部分に係留されている。
【００２３】
本実施形態の回転機構は、さらに、上部ユニット３１０と下部ユニット３２０とが対向する面に、回転軸５１０と同軸の円周上に所定の距離離間して配置された複数のローラ５６０を有している。各ローラ５６０は下部ユニット３２０の上面と接触して回転することにより、スラスト軸受の働きをするものである。
【００２４】
したがって、本実施形態の回転機構では、上部ボールベアリング５２０及び下部ボールベアリング５３０からなるラジアル軸受と、複数のローラ５６０からなるスラスト軸受との２種類の軸受を有することになる。このような構成を有する本実施形態の回転機構は、スラスト荷重を主にスラスト軸受にて受けつつ、ラジアル荷重を主にラジアル軸受にて受けることから、薄型表示装置のように回転軸上に重心がない場合であっても、スムーズかつ安定した回転を可能にすることができる。
【００２５】
上記のようにスラスト軸受とラジアル軸受をともに形成する構成は、ラジアル軸受の基準回転周（基準回転周とは、ローラ５６０の半径方向の中心が配置される周をいい、具体的には図６における周５６１が該当する）よりも外側に、薄型表示装置の重心がある場合には更に効果的である。このような場合においては、スラスト軸受のみでは、軸に対する重心の偏心をカバーし得ず、滑らかに回転することができないが、ラジアル軸受を用いてその弱点をカバーすることにより滑らかに回転させることができるためである。
【００２６】
従って、薄型表示装置に上記のような回転機構を用いる構成とすれば、スラスト軸受の外周よりも表示画面部を前側に配置するようにしてもスムーズに回転できる薄型表示装置とすることができる。
【００２７】
そして、本実施形態は、さらに、上部ユニット３１０上方において、回転軸５１０を保持するためのストッパ（又はカラー）５７０を有している。ストッパ５７０は回転軸５１０に対してネジ止めされるようになっており、回転軸５１０をボルト５４０で締め付け固定した後、ストッパ５７０に一定の圧力をかけながらカラーの側方にあるネジ（不図示）で軸に固定する。その後、ストッパ５７０の抜けを防止するためのワッシャ５５０を軸の上端に取り付ける。具体的には、所定の重量（約１０キログラム）でストッパ５７０に与圧してから、ストッパ５７０をネジ止めして固定する（これを「定位置与圧」と呼ぶ）。これにより、本実施形態の回転機構は、回転軸の上下方向のぶれがなくなるため、回転がよりスムーズかつ安定したものとなる。
【００２８】
尚、薄型表示装置に用いる本発明のスタンド回転機構は、上記した実施の形態に限定されるものではなく、本発明の要旨を逸脱しない範囲内において種々変更を加え得ることは勿論である。例えば、ラジアル軸受及びスラスト軸受の構造については、様々な公知の技術を代用することが可能である。
【００２９】
【発明の効果】
以上、説明したように本発明のスタンド回転機構によれば、表示画面部及び本体部の重心とスタンドの回転機構の回転中心とが離れているスタンド式薄型表示装置において、安定かつスムーズな回転が可能となるような回転機構が提供される。
【図面の簡単な説明】
【図１】回転機構を有するスタンド式薄型表示装置の一例を示す正面図である。
【図２】本発明の第１実施形態の回転機構を含むスタンド式薄型表示装置の表示画面部及び本体部を支持するためのフレーム構造を示す図である。
【図３】本発明の第１実施形態の回転機構を含む回転ユニットの概観図である。
【図４】本発明の第１実施形態の回転機構を用いた回転ユニットの正面断面図である。
【図５】本発明の第１実施形態の回転機構を用いた回転ユニットの側面断面図である。
【図６】本発明の第１実施形態の回転機構の上部ユニットの下面図である。
【図７】本発明の第１実施形態の回転機構の下部ユニットの上面図である。
【符号の説明】
１００　　　　薄型表示装置
１１０　　　　表示画面部
１１１　　　　表示画面
１２０　　　　本体部
１２１　　　　コントロール部
１２２　　　　アンプ部
１３０　　　　スタンド部
１３１　　　　スタンド支柱
１３２　　　　スタンドベース
２１０　　　　回転ユニット
２２０　　　　アングル
２３０　　　　アルミフレーム
３１０　　　　上部ユニット
３２０　　　　下部ユニット
５１０　　　　回転軸
５２０　　　　上部ボールベアリング
５３０　　　　下部ボールベアリング
５４０　　　　ボルト
５５０　　　　ワッシャ
５６０　　　　ローラ
５７０　　　　ストッパ
【図１】
2004112232.tif 000003
【図２】
2004112232.tif 000004
【図３】
2004112232.tif 000005
【図４】
2004112232.tif 000006
【図５】
2004112232.tif 000007
【図６】
2004112232.tif 000008
【図７】
2004112232.tif 000009